(57)【特許請求の範囲】
【請求項１】
遊技者の所定の人為的な操作により所定方向に直線的に操作移動する操作部を備えた遊技機用操作スイッチにおいて、
前記操作部を操作移動可能に保持するとともに、遊技機本体に直接又は他部材を介して間接的に配置され、かつ前記遊技機本体又は前記他部材に対して前記操作部の操作移動方向と交差する方向で直線的に移動可能に組み付けられる保持部と、
その保持部を前記交差方向へ移動させるための回転式駆動源と、
その回転式駆動源と前記保持部とを連結するとともに、前記回転式駆動源の一方向への回転駆動力を前記交差方向での直線的な往復駆動力に変換して前記保持部に伝達する変換伝達機構と、を備え、
前記変換伝達機構は、
前記回転式駆動源の回転駆動軸に固定されて該回転駆動軸と一体的に回転する偏心カムと、
その偏心カムの偏心軸部に一端部が連結される一方、他端部が前記保持部側に連結される連結アームと、を備え、
前記連結アームは、
その長手方向に沿って伸縮可能に設けられた伸縮部材を備え、前記操作部及び前記保持部の少なくとも一方に直線的な往復移動を阻害する外力が加えられたときに前記伸縮部材が伸縮することで連結アームが伸縮し、その移動を阻害された前記保持部を作動させようとする前記回転式駆動源の回転駆動力により発生する負荷を吸収するように構成され、
前記操作部は、前記保持部が前記回転式駆動源によって移動されることにより、前記所定の人為的な操作に基づく操作移動とは独立した状態で、前記保持部と一体的に前記交差方向に移動されることを特徴とする遊技機用操作スイッチ。
【請求項２】
前記変換伝達機構は、
支軸を中心に回転自在に設けられるとともに、一端に前記連結アームの他端部が取り付けられる一方で他端に前記保持部が取り付けられて前記連結アームと前記保持部とを連係する回転伝達部材を備え、
その回転伝達部材は、前記支軸から他端までの長さ寸法が前記支軸から一端までの長さ寸法よりも大きく設定されることで、前記連結アームにおける前記保持部の移動方向での変位量を拡大して前記回転式駆動源の回転駆動力を前記保持部に伝達する請求項１に記載の遊技機用操作スイッチ。
【請求項３】
請求項１又は２に記載の遊技機用操作スイッチを備えたことを特徴とする遊技機。
【発明の詳細な説明】
【技術分野】
【０００１】
本発明は、遊技機用操作スイッチ及びそれを備えた遊技機に関する。
【背景技術】
【０００２】
従来、パチンコ機、アレパチ機などの弾球遊技機やスロットマシン、パチスロ機などの回胴式遊技機を含む種々の遊技機では、遊技領域に設ける液晶表示部（可変表示手段）や機枠（台枠）に設けるランプ、ＬＥＤなどの発光体を用いた表示演出、あるいは機枠（台枠）に設けるスピーカー（音声・音響出力手段）を用いた効果音・合成音声などの音演出によって、遊技者の興趣を高め遊技が単調になるのを防ぐ工夫がなされている。さらに近年では、遊技機側（すなわち遊技店側）から遊技者側に一方的に提供されるこれらの演出機能に加え、例えば遊技者の操作に基づき演出表示パターンを選択したり変更したりすることによって遊技環境に変化をもたらすことができるように、プレイヤー参加型の演出機能を備えるものも登場している。このようなプレイヤー参加型演出機能の一類型として、遊技者による基準線方向への押圧移動操作（プッシュ操作）が可能な、いわゆるプッシュボタン式の操作スイッチを備えたものがある。これによれば、例えば液晶表示部の表示画面でのナビゲーション表示（告知表示）に応じて遊技者が操作スイッチを押圧移動操作することにより表示内容を決定したり、実行させたりすることができる。
【先行技術文献】
【特許文献】
【０００３】
【特許文献１】特開２０１０−２２０６５３号公報
【０００４】
特許文献１の遊技機では、液晶表示装置による所定の演出態様に応じて電気的駆動源の駆動に基づいて視認可能に動作する可動体としての操作リングユニット（３２９）を遊技者が指触可能に備え、可動体の動きに対する興趣の低下を抑制するとともに、斬新な遊技性を生じさせようとしたものである。具体的には、操作リングユニット（３２９）は、押圧操作が可能なボタン機構（３３０）と、回転操作が可能なリング機構（３３１）とを、外形筐体をなす上下の各カバー体（３３２，３３３）に収容することでユニット化して構成されている。
【０００５】
そして、ボタン機構（３３０）の周囲に設けられたリング機構（３３１）は、液晶表示装置の演出内容に影響を与える制御を行うための、遊技者の意思に基づいた指触操作（回転操作）を行うことができるとともに、ステッピングモータなどの電気的駆動源の駆動に基づいてリング機構（３３１）が動作しその動きを遊技者自体が直接体感することができるものである。すなわち、電気的駆動源を駆動して遊技者の指触操作に通常の操作とは異なった感触（変化）を与えることができるものである。
【０００６】
しかしながら、このようなリング機構（３３１）は、遊技者が直接指触操作する回転動作と、電気的駆動源に基づく回転動作とが同じ回転動作であるので、上記のように直接体感できるという興趣は得られるものの、リング機構の輪郭（シルエット）は回転動作によっても大きく変化せず、視覚的演出効果という点では遊技者に与える効果は小さいと言える。また、ボタン機構については、リング機構の中心に固定的に配置されて押圧操作されるだけであり、リング機構の回転動作を際立たせる効果を有するものとは言い難い。
【発明の概要】
【発明が解決しようとする課題】
【０００７】
本発明の課題は、視覚的演出効果という点でもインパクトある斬新な演出効果を遊技者に与えることが可能な遊技機用操作スイッチ及びそれを備えた遊技機を提供することにある。
【課題を解決するための手段及び発明の効果】
【０００８】
上記の課題を解決するために、本発明の遊技機用操作スイッチは、
遊技者の所定の人為的な操作により所定方向に直線的に操作移動する操作部を備えた遊技機用操作スイッチにおいて、
前記操作部を操作移動可能に保持するとともに、遊技機本体に直接又は他部材を介して間接的に配置され、かつ前記遊技機本体又は前記他部材に対して前記操作部の操作移動方向と交差する方向で直線的に移動可能に組み付けられる保持部と、
その保持部を前記交差方向へ移動させるための回転式駆動源と、
その回転式駆動源と前記保持部とを連結するとともに、前記回転式駆動源の一方向への回転駆動力を前記交差方向での直線的な往復駆動力に変換して前記保持部に伝達する変換伝達機構と、を備え、
前記変換伝達機構は、
前記回転式駆動源の回転駆動軸に固定されて該回転駆動軸と一体的に回転する偏心カムと、
その偏心カムの偏心軸部に一端部が連結される一方、他端部が前記保持部側に連結される連結アームと、を備え、
前記連結アームは、
その長手方向に沿って伸縮可能に設けられた伸縮部材を備え、前記操作部及び前記保持部の少なくとも一方に直線的な往復移動を阻害する外力が加えられたときに前記伸縮部材が伸縮することで連結アームが伸縮し、その移動を阻害された前記保持部を作動させようとする前記回転式駆動源の回転駆動力により発生する負荷を吸収するように構成され、
前記操作部は、前記保持部が前記回転式駆動源によって移動されることにより、前記所定の人為的な操作に基づく操作移動とは独立した状態で、前記保持部と一体的に前記交差方向に移動されることを特徴とする。
【０００９】
このように、遊技者の所定の人為的な操作により所定方向に直線的に操作移動する操作部と、その操作部を操作移動可能に保持する保持部と、を備え、保持部が遊技機本体又は他部材に対して操作部の操作移動方向と交差する方向で直線的に移動可能に組み付けられている。そして、操作部及び保持部が回転式駆動源の駆動力によって操作部の操作移動方向と交差する方向で直線的に移動される。これによれば、操作部及び保持部が所定の人為的な操作に基づく移動とは独立した状態で視認可能に移動されるので、その移動動作を遊技者自体が直接体感できるのは言うまでもなく、移動動作によって保持部や操作部の輪郭（シルエット：位置：姿勢）が大きく変化することとなり、視覚的演出効果という点でもインパクトある斬新な演出効果を遊技者に与えることが可能となる。
【００１０】
また、上記した構成によれば、モータなどの回転式駆動源の一方向への回転駆動力を変換伝達機構によって直線的な往復駆動力として保持部に伝達するようになっている。このため、特殊な駆動源を用いることなく、かつ回転式駆動源の簡単な駆動制御で、操作部及び保持部を直線的に往復移動させることができる。
【００１１】
また、前記変換伝達機構は、前記回転式駆動源の回転駆動軸に固定されて該回転駆動軸と一体的に回転する偏心カムと、その偏心カムの偏心軸部に一端部が連結される一方、他端部が前記保持部側に連結される連結アームと、を備える。
【００１２】
これによれば、回転式駆動源が駆動制御されると回転駆動軸の一方向回転に伴って偏心カムが一体的に回転する。そして、この偏心カムの回転によって連結アームが移動することでこれに連れて保持部も移動することになり、結果として、回転式駆動源の簡単な駆動制御で操作部及び保持部を直線的に往復移動させる構成を具現化することができる。
【００１３】
また、前記変換伝達機構は、支軸を中心に回転自在に設けられるとともに、一端に前記連結アームの他端部が取り付けられる一方で他端に前記保持部が取り付けられて前記連結アームと前記保持部とを連係する回転伝達部材を備え、その回転伝達部材は、前記支軸から他端までの長さ寸法が前記支軸から一端までの長さ寸法よりも大きく設定されることで、前記連結アームにおける前記保持部の移動方向での変位量を拡大して前記回転式駆動源の回転駆動力を前記保持部に伝達する。
【００１４】
これによれば、偏心カムの回転に伴う連結アームの移動量の小さい往復移動に対しても、保持部を大きな移動量で往復移動させることができ、ひいては、操作部を大きく往復移動させて、視覚的演出効果におけるインパクトをより一層高めることができる。
【００１５】
なお、このような回転伝達部材を必ずしも変換伝達機構に設ける必要はなく、例えば連結アームを保持部に直接連結することで、回転式駆動源（回転駆動軸）の一方向への回転駆動力を直線的な往復駆動力に変換して保持部に伝達するようにしてもよい。このように、シンプルな構成とすることにより、部品点数を削減しコスト削減に寄与することができる。ただし、この場合、連結アームの移動量がそのまま保持部及び操作部の移動量となる。
【００１６】
また、前記連結アームは、その長手方向に沿って伸縮可能に設けられた伸縮部材を備え、前記操作部及び前記保持部の少なくとも一方に直線的な往復移動を阻害する外力が加えられたときに前記伸縮部材が伸縮することで連結アームが伸縮し、その移動を阻害された前記保持部を作動させようとする前記回転式駆動源の回転駆動力により発生する負荷を吸収する。
【００１７】
これによれば、回転式駆動源の駆動状態において、保持部又は操作部の移動が強制的に停止された場合（例えば遊技者の悪戯によって保持部や操作部の移動を妨げる行為がなされた場合など）でも、回転駆動軸の回転駆動を強制的に停止することなくそのまま駆動し続けることができるので、回転式駆動源に対して大きな負荷をかけることがなく、このような負荷による回転式駆動源の故障を回避することができる。
【００１８】
また、上記の課題を解決するために、本発明の遊技機は、
遊技者の所定の人為的な操作により所定方向に直線的に操作移動する操作部を備えた遊技機用操作スイッチを備え、
その遊技機用操作スイッチは、
前記操作部を操作移動可能に保持するとともに、遊技機本体に直接又は他部材を介して間接的に配置され、かつ前記遊技機本体又は前記他部材に対して前記操作部の操作移動方向と交差する方向で直線的に移動可能に組み付けられる保持部と、
その保持部を前記交差方向へ移動させるための回転式駆動源と、
その回転式駆動源と前記保持部とを連結するとともに、前記回転式駆動源の一方向への回転駆動力を前記交差方向での直線的な往復駆動力に変換して前記保持部に伝達する変換伝達機構と、を備え、
前記操作部は、前記保持部が前記回転式駆動源によって移動されることにより、前記所定の人為的な操作に基づく操作移動とは独立した状態で、前記保持部と一体的に前記交差方向に移動されることを特徴とする。
【００１９】
これによれば、操作部及び保持部が所定の人為的な操作に基づく移動とは独立した状態で視認可能に移動する遊技用操作スイッチを遊技機に備えることができるので、その可動動作を遊技者自体が直接体感できるのは言うまでもなく、可動動作によって保持部や操作部の輪郭（シルエット：位置：姿勢）が大きく変化することとなり、遊技者に対してインパクトある斬新な演出効果を与えることが可能となる。そして、視覚的演出効果が高まるので、周囲の遊技者にも知らしめることが可能となり、他の遊技者の遊技に対する興味を引き付けることができる。さらには、操作部及び保持部が可動することにより、その動作によって遊技者に操作部の操作を促すことが可能となり、液晶表示装置に依存することなく、インパクトある斬新な演出効果を遊技者に与えることができる。
【００２０】
また、前記保持部が配置固定される前記遊技機本体又は前記他部材の外壁部には、前記保持部の対応する外周部よりも大きな内周部を有する配置孔が形成され、前記保持部は、前記配置孔の内周部内を前記外周部の移動可能領域として移動するとともに、前記外周部に隣接し前記外壁部に沿って延設されるフランジ部を有し、そのフランジ部が前記外周部と前記配置孔の内周部との間に形成された空間を、前記外壁部の外側又は内側から閉塞する構成とすることができる。
【００２１】
これによれば、保持部には、遊技機本体又は他部材の外壁部に設けられた配置孔との間に形成される空間（隙間）を閉塞するフランジ部が設けられているので、外周部（保持部）の移動可能領域となる空間に遊技者が煙草などの異物を挿入するなどの悪戯を抑制及び防止することができる。また、保持部の移動の阻害となる塵や埃などが空間に入り込むのを抑制及び防止することができる。さらには、フランジ部によって保持部の外形が拡大されるので、遊技機本体又は他部材の外壁部上で存在感が増し、迫力ある移動演出を実現することができる。
【００２２】
なお、本発明の遊技機には、パチンコ機などの弾球遊技機、スロットマシンやパチスロ機などの回胴式遊技機、ポーカーゲーム機、雀球遊技機などの各種ゲーム機、などが含まれる。
【図面の簡単な説明】
【００２３】
【図１】本発明の実施形態に係る遊技機用操作スイッチを備えた遊技機を示す斜視図。
【図２Ａ】遊技機用操作スイッチを示す正面図。
【図２Ｂ】遊技機用操作スイッチを示す平面図。
【図２Ｃ】遊技機用操作スイッチを示す底面図。
【図３Ａ】遊技機用操作スイッチのベース部を省略して上から見た斜視図。
【図３Ｂ】遊技機用操作スイッチのベース部を省略して下から見た斜視図。
【図４】遊技機用操作スイッチの上から見た分解斜視図。
【図５】遊技機用操作スイッチの下から見た分解斜視図。
【図６Ａ】図２ＣにおけるＡ−Ａ断面図。
【図６Ｂ】図２ＣにおけるＢ−Ｂ断面図。
【図７】遊技機用操作スイッチの変換リンク機構を示す部分拡大底面図。
【図８Ａ】変換リンク機構の動きに伴うスイッチ本体の移動を示す底面図。
【図８Ｂ】変換リンク機構の動きに伴うスイッチ本体の移動を示す底面図。
【図９】変換リンク機構の第１変形例を示す底面図。
【図１０Ａ】変換リンク機構の第２変形例を示す底面図。
【図１０Ｂ】変換リンク機構の第３変形例を示す底面図。
【発明を実施するための形態】
【００２４】
以下、本発明の実施形態について図面を参照しつつ説明する。図１に示すように、遊技機（以下、パチンコ機ともいう）１は、そのパチンコ機１の外郭を形成する額縁状の外枠２を備えている。外枠２には、ヒンジ部２ａ，２ｂを介して前面側に向かって片開き可能な内枠３が支持されている。内枠３には、同様にヒンジ部２ａ，２ｂを介して前面側に向かって片開き可能な前枠４が支持されている。内枠３には、図示しないガイドレールにより前面側に遊技領域が形成された遊技盤が装着され、その遊技盤の下方に遊技領域に向けて遊技球を発射する球発射装置が設けられている。
【００２５】
前枠４は、遊技盤の遊技領域に対応した窓部４ａが厚み方向に貫通形成されて開口している。そして、前枠４の後面側には、窓部４ａを閉塞するように透明板４ｂが着脱可能に配置されている。透明板４ｂは、前枠４が内枠３に対して閉状態のときに該窓部４ａを介して遊技領域を視認可能としている。また、前枠４の前面下側には、貸球や賞球などの遊技球を一時的に貯留し、その貯留した遊技球を整流して球発射装置に供給する球受皿５と、球発射装置が遊技球を発射する発射力を調節するための発射ハンドル６とが設けられている。そして、球受皿５の上面には、外壁部から一部を露出する構成で遊技機用操作スイッチ１０が設けられている。遊技機用操作スイッチ１０は、遊技者が操作するものであり、遊技状態に応じて遊技者の操作に基づき液晶表示部（図示せず）の演出表示パターンを選択したり変更したりすることができる。
【００２６】
なお、本明細書において、透明板４ｂ（遊技盤の盤面）と直交する方向が前後方向であり、遊技者側が前方側、遊技盤側（パチンコ機１の奥側）が後方側としている。また、透明板４ｂ（遊技盤の盤面）に沿う態様で遊技領域を遊技球が流下する方向を上下方向（鉛直方向）としている。また、これら前後方向及び上下方向と直交する方向を左右方向としている。
【００２７】
以下、遊技機用操作スイッチ１０（以下、操作スイッチ１０ともいう）について詳しく説明する。操作スイッチ１０は、図１ないし図３に示すように、パチンコ機１での待機状態を含む遊技状態に応じて、遊技者の所定の人為的な操作により操作移動する操作部２０及び操作部２０を操作移動可能に保持する保持部３０を備えたスイッチ本体１１と、そのスイッチ本体１１（保持部３０）を所定の態様で移動可能に配置固定するベース部４０と、ベース部４０に対するスイッチ本体１１の移動を案内する移動案内部材３６と、ベース部４０の内側に配置されスイッチ本体１１（保持部３０）を移動するための回転式駆動源としてのモータ５０と、そのモータ５０の回転駆動力をスイッチ本体１１（保持部３０）に伝達する変換伝達機構としての変換リンク機構６０と、を備えている。
【００２８】
そして、操作スイッチ１０は、図２Ａの二点鎖線で示すように、遊技状態に応じて保持部３０がモータ５０の駆動力によって移動されることにより、操作部２０の所定の人為的な操作に基づく操作移動とは独立した状態で、当該操作部２０と保持部３０とが一体的に所定の態様で可動され、視覚的演出効果という点でインパクトある斬新な演出効果を遊技者に与えることができる。なお、スイッチ本体１１（保持部３０）の具体的な可動態様は、左右方向への直線往復移動であり、二点鎖線は、保持部３０の端部が左右に移動した状態を示すものである。
【００２９】
また、本実施形態に係る操作スイッチ１０は、ユニット化されて球受皿５の上面に配置されているが、球受皿５の内部からスイッチ本体１１が露出するように配置してもよい。すなわち、本実施形態では、スイッチ本体１１がベース部４０（他部材）を介して間接的に球受皿５（遊技機本体）に配置されているが、ベース部４０を省略して直接球受皿５に配置してもよい。つまり、ベース部４０が本発明における他部材に相当する。
【００３０】
スイッチ本体１１は、図４ないし図６に示すように、円筒形状をなす操作部本体２２の内側に平面視円形形状をなし遊技者に押圧移動操作される操作面２１ａを有する操作面部材２１が固定されてなる操作部２０と、円筒形状をなしその内側に操作部２０を収容するとともにその中心軸線Ｏ１に沿って操作部２０が遊技者の人為的な押圧移動操作を可能に保持する保持部３０と、操作部２０と保持部３０との間に配置され操作部２０を中心軸線Ｏ１方向で保持部３０に対し突出する（押圧移動操作に抗する）ように付勢する３つのコイルバネ３９と、を備えている。
【００３１】
操作面部材２１及び操作部本体２２は、それぞれ光を透過する光透過性材料で形成され、該操作面部材２１の下方に位置して、図６Ａに示すように、配線基板３８と基板ベース３７とがビスなどの締結部材によって固定されている。配線基板３８には、操作部２０を照射する発光部３８ａ並びに操作部２０の押圧移動操作を検出するフォトセンサ及びコネクタ端子台（ともに図示しない）が配置されている。配線基板３８を下方から支持するようにして取り付けられる基板ベース３７の下面には、その周縁部分における等間隔の３箇所に操作部２０を保持部３０に取り付けるための取付ボス３７ａが突設されている。この取付ボス３７ａには、それぞれコイルバネ３９がその軸心に取付ボス３７ａが挿通された状態で巻装される。また、取付ボス３７ａの外周壁一部分には、操作部２０を保持部３０に対して抜け止め係止する弾性係止爪３７ｂが形成されている。
【００３２】
次に、保持部３０は、図４ないし図６に示すように、円筒形状をなし操作部本体２２（操作部２０）を収容する収容部３１と、収容部３１の上端から径方向外側に延出される平面視小判形状（楕円形状、ドーナツ形状、レーストラック形状）のフランジ部３２と、を備えている。収容部３１の下端には、底壁３３が設けられており、その底壁３３の上面には、収容部３１内に操作部本体２２を収容した状態で、基板ベース３７の取付ボス３７ａと係合する中空円筒形状の係合ボス３４が３つの取付ボス３７ａと個々に対応する３箇所に突設されている。係合ボス３４は、取付ボス３７ａより拡径であり、取付ボス３７ａに巻装されたコイルバネ３９が、係合ボス３４の上端面に支持される。係合ボス３４の外周壁一部分には、保持部３０に対する操作部２０が往復移動可能となるように、上下方向、言い換えれば、中心軸線Ｏ１の方向に沿って溝状のガイド部３４ａが形成され、ガイド部３４ａの上端には、取付ボス３７ａの弾性係止爪３７ｂを係止する係止受部３４ｂが形成されている。
【００３３】
そして、コイルバネ３９を巻装した取付ボス３７ａが係合ボス３４の内周に挿入されることにより、弾性係止爪３７ｂがガイド部３４ａと係合した状態で、操作部２０が保持部３０に取り付けられる。なお、このとき、コイルバネ３９は、その下端が係合ボス３４の上端面で押し上げられて配置されることで、常時、操作部２０を上方向に付勢するようになっている（図６Ａ参照）。これにより、操作部２０は、遊技者による押圧移動操作に伴って、弾性係止爪３７ｂがガイド部３４ａを摺動するとともに係止受部３４ｂの規制によって所定ストロークだけ往復移動可能に抜け止めされる。
【００３４】
一方、収容部３１の底壁３３の下面には、スイッチ本体１１（保持部３０）を変換リンク機構６０に連結するための連結突起３５が突設されている。連結突起３５の基部は、レーストラックを長手方向で半分に切ったようなこはぜ形状をなして移動案内部材３６と嵌合する嵌合突部３５ａとして形成されている。嵌合突部３５ａの下端面から延設される連結突起３５の中央部分は、円柱形状の摺動部３５ｂとして形成され、その先端には、係合ボス部３５ｃが形成されている。また、収容部３１の底壁３３には、移動案内部材３６を全体的に嵌め込んで取り付けるための取付フランジ３３ａが周縁部分に沿って形成されるとともに、操作部２０（操作部本体２２）を保持部３０（収容部３１）内に収容した状態で配線基板３８の電気配線（図示しない）を収容部３１の外側に通すための配線通し孔３３ｂが形成されている。
【００３５】
移動案内部材３６は、図４ないし図６に示すように、円筒形状をなす収容部３１の直径寸法よりも若干小さめに形成された円盤形状の円盤基部３６ａと、円盤基部３６ａの外周に沿って設けられ収容部３１の取付フランジ３３ａ内に嵌合する嵌合フランジ部３６ｂと、嵌合フランジ部３６ｂの外壁面から突出して形成されベース部４０からのスイッチ本体１１の抜け止めを行う抜止突起部３６ｃと、を備えている。円盤基部３６ａには、収容部３１の嵌合突部３５ａと同一形状（レーストラックを長手方向で半分に切ったようなこはぜ形状）の嵌入孔３６ｄが形成されており、その嵌入孔３６ｄに嵌合突部３５ａが嵌入されることで、収容部３１（保持部３０）に対して移動案内部材３６が位置決めされる。また、円盤基部３６ａの下面には、変換リンク機構６０を構成する後述の取付ベース６１との係合によってスイッチ本体１１の移動（左右方向への直線往復移動）を案内する２本の案内突起３６ｅが形成されている。なお、移動案内部材３６は、ベース部４０の後述する配置孔４２（内周部４２ａ）内に配置されるスイッチ本体１１（保持部３０）と、ベース部４０に締結して取り付けられる変換リンク機構６０の取付ベース６１との間で挟持された状態で組み付けられるとともに、スイッチ本体１１（保持部３０）の左右方向への直線往復移動に伴って一体的に移動する。
【００３６】
ベース部４０は、図４ないし図６に示すように、下面が開口する箱形態をなし、図示しない底カバーによって下面の開口が閉塞されることにより操作スイッチ１０が一つのユニットとして構成される。また、ベース部４０は、上壁４１に保持部３０の収容部３１が配置される配置孔４２が貫通形成されている。配置孔４２は、保持部３０の収容部３１の対応する外周部よりも大きな内周部４２ａを有して形成されており、内周部４２ａの下端は、移動案内部材３６の抜止突起部３６ｃとの係合によってベース部４０（配置孔４２）からのスイッチ本体１１の抜け止めを行う係止部４２ｂとして形成されている。上壁４１の下面（内面）には、変換リンク機構６０の取付ベース６１をビスなどの締結部材４３ａによって固定するための締結ボス４３が立設されている。また、ベース部４０の裏面壁には、前述の配線通し孔３３ｂから収容部３１の外側に通された配線基板３８の電気配線をユニット化された操作スイッチ１０（ベース部４０）の外側に通し出す配線通し孔４４が形成されている。
【００３７】
ここで、スイッチ本体１１（保持部３０）は、操作部２０の操作面２１ａに直交する押圧方向に沿った所定の直線（中心軸線Ｏ１）が左右方向に変動するように、ベース部４０に対して移動可能に組み付けられている（図２Ａ参照）。言い換えれば、スイッチ本体１１は、操作部２０の操作移動方向（中心軸線Ｏ１の方向）と交差する方向で直線的に移動可能である。従って、配置孔４２の具体的な態様としては、円筒形状をなす収容部３１が左右方向に移動するために左右方向が長手方向となる略レーストラック形状をなしている。なお、保持部３０（スイッチ本体１１）が、配置孔４２の内周部４２ａ内を収容部３１の移動可能領域として移動するので、その収容部３１の外周部と配置孔４２の内周部４２ａとの間に空間Ｓ（隙間）が形成されるが（図６Ａ参照）、その空間Ｓは、上壁４１に沿って延設されるフランジ部３２によって常時上側から閉塞される。また、フランジ部３２は、上壁４１の内側から空間Ｓ（配置孔４２）を閉塞する構成としてもよい。
【００３８】
続いて、本実施形態の要部をなす変換リンク機構６０について説明する。変換リンク機構６０は、図４ないし図６に示すように、変換リンク機構６０の各種構成部材及びモータ５０を組み付けてベース部４０に取り付ける取付ベース６１と、モータ５０のモータ軸５１（回転駆動軸）に固定されてモータ軸５１と一体的に回転する偏心カム６２と、偏心カム６２の回転駆動力を直線的な往復駆動力に変換する連結アーム６３と、連結アーム６３の往復移動量を拡大して保持部３０（スイッチ本体１１）に伝達する回転伝達部材６４と、を備えている。
【００３９】
取付ベース６１は、配置孔４２と同形状のレーストラック形状における長手方向の一端にモータ５０の取付部となる長方形部分を加えた形状をなす上壁面６１ａを備えている。上壁面６１ａの周縁部分には、全周に亘って垂下したフランジ部６１ｂが形成され、そのフランジ部６１ｂと上壁面６１ａとによって囲まれる空間が、偏心カム６２、連結アーム６３、及び回転伝達部材６４を収容する収容空間６１ｃとして形成されている。上壁面６１ａにおける長方形部分の上面は、モータ５０の取付部分を構成し、その取付部分には、モータ５０（モータ５０の取付フランジ部５２）をビスなどの締結部材６５ａによって固定する締結ボス６５と、モータ軸５１が突出するモータ５０の軸突出面５３と上壁面６１ａとの間で所定の間隔を設けてモータ５０を取り付けるために軸突出面５３を支持する上面視で半円形状の支持突起６６と、上壁面６１ａの上面に配置されるモータ５０のモータ軸５１を上壁面６１ａの下方空間となる収容空間６１ｃに挿通する円形状の軸挿通孔６７と、軸挿通孔６７の周縁部分に立設されるとともにモータ軸５１に一体固定される偏心カム６２の後述する回転軸部６２ｂを回転自在に内嵌しかつその上端部分で軸突出面５３を支持する円筒形状の軸保護部６８と、が形成されている。また、上壁面６１ａの長方形部分側には、締結部材４３ａによって取付ベース６１をベース部４０の締結ボス４３に固定するための締結孔６１ｄが形成されている。
【００４０】
一方、上壁面６１ａにおけるレーストラック形状の部分には、収容空間６１ｃ内において回転伝達部材６４を回転自在に軸支して取り付ける軸支孔６９と、収容部３１の連結突起３５を挿通するための突起挿通孔７０と、移動案内部材３６の２本の案内突起３６ｅを個々に挿入してスイッチ本体１１の移動（左右方向への直線往復移動）を案内する２条の案内孔７１と、が形成されている。突起挿通孔７０は、スイッチ本体１１の移動方向に沿って条設された長孔形状をなし、その周縁部分には、摺動部３５ｂとの係合によってスイッチ本体１１の移動を突起挿通孔７０の条設方向に案内する案内フランジ部７２が立設されている。２条の案内孔７１は、それぞれ突起挿通孔７０と同一の条設方向に伸びる長孔形状をなすとともに、相互間で突起挿通孔７０を挟む位置に形成されている。また、軸支孔６９は、一方の案内孔７１（遊技機用操作スイッチ１０としての組み付け状態で後側に配置される案内孔７１）と突起挿通孔７０との間の上壁面６１ａ部分に形成されている。
【００４１】
偏心カム６２は、円板部６２ａと、円板部６２ａの中心から立設されてモータ５０のモータ軸５１に一体的に固定される円筒形状の回転軸部６２ｂと、円板部６２ａにおいて回転軸部６２ｂの立設面とは反対側の面で中心からずれた位置に立設されて回転伝達部材６４と連結されるボス形状の偏心軸部６２ｃと、を備えている。
【００４２】
連結アーム６３は、棒形状をなし、その一端部には偏心カム６２の偏心軸部６２ｃを回転自在に内嵌して取り付ける第１内嵌連結部６３ａが形成される一方、他端部には回転伝達部材６４の後述する連結ボス６４ｂを回転自在に内嵌して取り付ける第２内嵌連結部６３ｂが形成されている。そして、連結アーム６３は、第１内嵌連結部６３ａに内嵌された偏心軸部６２ｃにビスなどの締結部材６３ｃが締結されることで偏心カム６２が連結されるとともに、第２内嵌連結部６３ｂに内嵌された連結ボス６４ｂにビスなどの締結部材６３ｄが締結されることで回転伝達部材６４が連結される。
【００４３】
回転伝達部材６４は、長手方向の途中にボス形状の軸突起６４ａ（支軸）が突設された棒形状をなし、軸突起６４ａが取付ベース６１の軸支孔６９にビスなどの締結部材（図示しない）で締結されることで、軸突起６４ａを中心として回転自在に取り付けられる。回転伝達部材６４の一端には、連結アーム６３の第２内嵌連結部６３ｂに内嵌される連結ボス６４ｂが軸突起６４ａの突設方向とは逆方向に形成されている。一方、回転伝達部材６４の他端には、取付ベース６１の突起挿通孔７０を挿通して収容空間６１ｃ内に配置された連結突起３５の係合ボス部３５ｃと係合する連結孔６４ｃが形成されている。そして、回転伝達部材６４は、連結孔６４ｃに係合された係合ボス部３５ｃにビスなどの締結部材６４ｄが締結されることで保持部３０（スイッチ本体１１）が連結される。
【００４４】
ところで、上記した連結孔６４ｃは、回転伝達部材６４の長手方向に沿って伸びる長孔形状に形成されており、係合ボス部３５ｃとの係合において若干の遊びを持った状態で保持部３０に連結される。具体的には、軸突起６４ａを中心とした回転伝達部材６４の回転運動に対して、連結孔６４ｃも同様に軸突起６４ａを中心として回転することになるが、連結孔６４ｃを長孔形状にして係合ボス部３５ｃとの係合に遊びを持たせること、すなわち、回転伝達部材６４の回転に伴って係合ボス部３５ｃに対する連結孔６４ｃの相対位置を連結孔６４ｃの条設方向に沿って変化させることで、連結突起３５（保持部３０）を長孔形状の突起挿通孔７０（案内フランジ部７２）に沿って直線的に移動させる。ひいては、スイッチ本体１１を直線的に移動させる。
【００４５】
また、回転伝達部材６４は、図７に示すように、その回転中心となる軸突起６４ａから他端側の連結孔６４ｃまでの長さ寸法Ｌ１が、軸突起６４ａから一端側の連結ボス６４ｂまでの長さ寸法Ｌ２よりも大きく設定されている。実施形態中では、長さ寸法Ｌ１が長さ寸法Ｌ２の２倍強とされる。これにより、回転伝達部材６４の回転に伴う連結ボス６４ｂの真横方向での変位量（直線的な移動量）よりも、連結孔６４ｃの真横方向での変位量（直線的な移動量）を大きくする（実施形態中では、２倍強）ことができる。したがって、後で詳述するような偏心カム６２の回転に伴う連結アーム６３の移動量の小さい往復移動に対しても、スイッチ本体１１（保持部３０）を大きな移動量で往復移動させることができる。
【００４６】
次に、モータ５０の駆動力に基づく操作スイッチ１０の作動、具体的には、スイッチ本体１１（保持部３０）の左右方向への直線往復移動について説明する。例えば図示しない液晶表示部の表示画面でリーチ演出時や大当たり時などの所定の遊技状態となったときに、遊技者に対する演出効果を高めるため、表示画面で操作部２０の押圧移動操作を遊技者に促すとともに、スイッチ本体１１がモータ５０の駆動によって左右方向に連続又は間欠的に往復移動する（図２Ａ参照）ように制御され、又は、表示画面で操作部２０の押圧移動操作を遊技者に促す代わりに、スイッチ本体１１がモータ５０の駆動によって左右方向に往復移動して操作部２０の押圧移動操作を促すように制御される。
【００４７】
すなわち、リーチ演出時や大当たり時などの所定の遊技状態となった場合、操作スイッチ１０は、モータ５０が所定の速度及び時間でモータ軸５１を一方向回転するように駆動制御され、図８Ａに示すように、スイッチ本体１１が配置孔４２の一端側に位置する左側位置と、図８Ｂに示すように、スイッチ本体１１が配置孔４２の他端側に位置する右側位置との間を、所定の移動範囲、速度及び時間で変換リンク機構６０を介して左右方向に往復移動される。これにより、移動中の操作部２０を押圧移動操作することができるので（押圧移動操作しようとする操作部２０が移動するので）、遊技者の押圧移動操作に斬新な体感を与えることができ、リーチ演出時や大当たり時などの所定の遊技状態における演出効果を高めることができる。
【００４８】
具体的に、モータ５０の駆動が停止して、スイッチ本体１１が図８Ａに示す位置（配置孔４２の左側位置）で停止している状態を初期状態として説明する。モータ５０が駆動制御され、図７において、モータ軸線Ｏ２を中心としてＣ方向にモータ軸５１が一方向回転すると、これに伴って偏心カム６２がモータ軸線Ｏ２（回転軸部６２ｂ）を中心として一体的に回転する。そして、このような偏心カム６２の回転によって、回転軸部６２ｂから偏心した偏心軸部６２ｃが回転してＤ１方向に変位することで、第１内嵌連結部６３ａに偏心軸部６２ｃを連結した連結アーム６３が、偏心カム６２に押し出されるようにしてＤ１方向に移動する。
【００４９】
これにより、連結アーム６３の第２内嵌連結部６３ｂを連結した回転伝達部材６４の一端側の連結ボス６４ｂがＤ１方向に移動することで、回転軸線Ｏ３（軸突起６４ａ）を中心として回転伝達部材６４がＥ１方向に回転する。これに伴って、回転伝達部材６４の他端側の連結孔６４ｃが連結ボス６４ｂの移動方向（Ｄ１方向）とは反対のＤ２方向に移動する。そして、この連結孔６４ｃの移動に伴い、連結突起３５を介して連結孔６４ｃに連結された保持部３０（スイッチ本体１１）がＤ２方向に移動して配置孔４２の右側位置に変位する（図８Ｂの状態に移行する）。
【００５０】
その後、モータ軸５１のＣ方向への継続的な一方向回転により、Ｄ１方向に変位した偏心軸部６２ｃがモータ軸線Ｏ２（回転軸部６２ｂ）を中心としてＣ方向に回転してＤ２方向に変位する。これに伴い、偏心カム６２に引き込まれるようにして連結アーム６３がＤ２方向に移動するとともに、回転伝達部材６４の連結ボス６４ｂがＤ２方向に移動する。これにより、回転伝達部材６４は、連結ボス６４ｂがＤ１方向に移動したときの回転方向（Ｅ１方向）とは反対のＥ２方向に回転し、連結孔６４ｃが連結ボス６４ｂの移動方向（Ｄ２方向）とは反対のＤ１方向に移動する。そして、この連結孔６４ｃの移動に伴い、連結突起３５を介して連結孔６４ｃに連結された保持部３０（スイッチ本体１１）がＤ１方向に移動して配置孔４２の左側位置に変位する（図８Ａの状態に移行する）。その後は、モータ５０の駆動、言い換えれば、モータ軸５１のＣ方向への一方向回転が継続する期間中、上記した変換リンク機構６０（偏心カム６２、連結アーム６３、及び回転伝達部材６４）の作動によってスイッチ本体１１のＤ１−Ｄ２方向（左右方向）への直線的な往復移動が繰り返し実行される。なお、実施形態中では、モータ軸５１の回転方向を時計方向となるＣ方向としているが、これに限定するものではなく、モータ軸５１をＣ方向とは反対の方向（反時計方向）に回転させることで、スイッチ本体１１のＤ１−Ｄ２方向への直線的な往復移動を行うようにしてもよい。
【００５１】
すなわち、操作部２０及び保持部３０は、モータ５０の駆動力によって操作部２０の操作移動方向と交差する方向で直線的に移動される。これによれば、操作部２０及び保持部３０が所定の人為的な操作に基づく移動とは独立した状態で視認可能に移動されるので、その移動動作を遊技者自体が直接体感できるのは言うまでもなく、移動動作によって保持部３０や操作部２０の輪郭（シルエット：位置：姿勢）が大きく変化することとなり、視覚的演出効果という点でもインパクトある斬新な演出効果を遊技者に与えることが可能となる。そして、視覚的演出効果が高まるので、周囲の遊技者にも知らしめることが可能となり、他の遊技者の遊技に対する興味を引き付けることができる。さらには、操作部２０及び保持部３０が移動することにより、その動作によって遊技者に操作部２０の操作を促すことが可能となり、液晶表示装置などの演出装置に依存することなく、インパクトある斬新な演出効果を遊技者に与えることができる。
【００５２】
また、変換リンク機構６０は、モータ５０（モータ軸５１）の一方向への回転駆動力を直線的な往復駆動力としてスイッチ本体１１の保持部３０に伝達する。このため、特殊な駆動源（例えば所定角度内でモータ軸の回転が正逆方向で交互に切り替えられるようなモータなど）を用いることなく、かつモータ５０の簡単な駆動制御（モータ軸５１の一方向のみの回転制御）で、操作部２０及び保持部３０（スイッチ本体１１）を直線的に往復移動させることができる。したがって、スイッチ本体１１を直線的に往復移動させるための構成部品のコストを低減することができる。
【００５３】
なお、上記した実施形態の変換リンク機構６０は、連結アーム６３の動きを拡大して保持部３０に伝達する回転伝達部材６４を備えているが、必ずしもこのような回転伝達部材６４を変換リンク機構６０に設ける必要はなく、例えば連結アーム６３の第２内嵌連結部６３ｂを保持部３０の係合ボス部３５ｃに直接連結することで、モータ５０（モータ軸５１）の一方向への回転駆動力を直線的な往復駆動力に変換してスイッチ本体１１（保持部３０）に伝達するようにしてもよい。ただし、この場合、連結アーム６３の小さい移動量がそのままスイッチ本体１１の移動量となり、スイッチ本体１１を大きな移動量で往復移動させることができない。このため、回転伝達部材６４を設けることでスイッチ本体１１を大きく往復移動させて、視覚的演出効果におけるインパクトをより一層高めることが望ましい。
【００５４】
図９、図１０Ａ、及び図１０Ｂに変換リンク機構６０の変形例を示す。図９の第１変形例では、変換リンク機構６０を構成する連結アーム６３において、その両端側にそれぞれ伸縮部材としての連結コイルバネ８０，８１が設けられている。連結コイルバネ８０，８１は、それぞれ一端部が連結アーム６３のアーム基部６３ｅの両端に一体的に固定されている。連結コイルバネ８０の他端部には、偏心カム６２の偏心軸部６２ｃを連結する第１内嵌連結部６３ａが固定され、連結コイルバネ８１の他端部には、回転伝達部材６４の連結ボス６４ｂを連結する第２内嵌連結部６３ｂが固定される。
【００５５】
また、第１及び第２の内嵌連結部６３ａ，６３ｂには、それぞれアーム基部６３ｅを保持するためのアーム保持部８２，８３が一体的に形成されている。すなわち、アーム基部６３ｅの両端と各内嵌連結部６３ａ，６３ｂとの間にそれぞれ連結コイルバネ８０，８１が配置された状態で、アーム保持部８２，８３に設けられた各案内溝８２ａ，８３ａに、アーム基部６３ｅの両端に突設された各係合突起８４，８５が係合されることにより、アーム基部６３ｅが各内嵌連結部６３ａ，６３ｂ間に保持される。なお、案内溝８２ａ，８３ａは、それぞれアーム基部６３ｅの軸心方向に沿って条設されている。これにより、第１変形例の連結アーム６３は、その両端部分（連結コイルバネ８０，８１を配置した部分）が軸心方向に沿って伸縮自在となっている。
【００５６】
この構成では、モータ５０の回転駆動力をスイッチ本体１１（保持部３０）に伝達する連結アーム６３に連結コイルバネ８０，８１を設けることで、スイッチ本体１１（操作部２０及び保持部３０）の移動を阻害する外力が加えられたときに、スイッチ本体１１を移動させようとするモータ５０の駆動力により発生する負荷を連結コイルバネ８０，８１が吸収する（緩衝する）。具体的には、モータ５０の駆動状態においてスイッチ本体１１（保持部３０）が停止固定した場合、これに伴って、保持部３０に連結された回転伝達部材６４も停止固定される。しかしながら、この第１変形例の変換リンク機構６０では、回転伝達部材６４の連結ボス６４ｂが停止した状態でモータ５０が駆動された場合、回転伝達部材６４（連結ボス６４ｂ）の停止に伴って連結アーム６３も動きを停止するのではなく、一端側となる第１内嵌連結部６３ａに連結された偏心カム６２の動き（回転動作）に伴って連結コイルバネ８０，８１が伸縮することにより、連結アーム６３が伸縮しながら連結ボス６４ｂを中心として揺動する。言い換えればモータ５０（モータ軸５１）の駆動を停止させない。これにより、モータ５０の駆動状態において強制的にスイッチ本体１１（保持部３０）の移動が停止された場合でも、モータ軸５１の回転駆動を強制的に停止することがないので、モータ５０に対して大きな負荷をかけることがなく、このような負荷によるモータ５０の故障を回避することができる。
【００５７】
なお、連結アーム６３に設けられる伸縮部材の構成は、上記した連結コイルバネ８０，８１のようなコイル状に巻回されたバネ部材に限定するものではない。例えば伸縮性能を備えたゴムや蛇腹状の部材など、連結アーム６３のアーム基部の軸心方向に沿って伸縮可能な部材であり、スイッチ本体１１（操作部２０及び保持部３０）の移動を阻害する外力が加えられたときに、スイッチ本体１１を移動させようとするモータ５０の駆動力により発生する負荷を吸収する（緩衝する）ものであれば、いずれの構成であってもよい。また、連結アーム６３において伸縮部材を設ける位置及び個数についても、第１変形例に示した構成に限定するものではない。
【００５８】
図１０Ａの第２変形例では、変換リンク機構６０を構成する連結アーム９０が長方形の板状に形成され、図示されていないがＤ１，Ｄ２方向に移動するようガイド規制されている。連結アーム９０の長手方向の一端側には、保持部３０の係合ボス部３５ｃに対して回転自在に取り付けられる回転取付部（取付孔）９１が形成される一方、他端側には、連結アーム９０の短手方向に沿って伸びるガイド長孔９２が形成されている。ガイド長孔９２には、モータ５０のモータ軸５１に一体的に固定された偏心カム６２の偏心軸部６２ｃが係合される。これにより、図１０Ａに示す状態から、モータ５０が駆動制御されてＣ方向にモータ軸５１が回転すると、これに伴って偏心カム６２が一体的に回転する。そして、このような偏心カム６２の回転によって、偏心軸部６２ｃがモータ軸５１を中心に回転してＤ２方向に変位すると、その偏心軸部６２ｃと係合するガイド長孔９２、言い換えれば連結アーム９０も一体的にＤ２方向に変位する。
【００５９】
すなわち、第２変形例の連結アーム９０は、偏心カム６２の回転に伴って偏心軸部６２ｃに対するガイド長孔９２の相対位置をガイド長孔９２の条設方向に沿って変化させることで、連結突起３５の係合ボス部３５ｃ（保持部３０）を長孔形状の突起挿通孔７０に沿って直線的に移動させ、ひいては、スイッチ本体１１を直線的に移動させる。なお、図１０Ａの正面視において、モータ軸５１を中心とした偏心軸部６２ｃの位置が時計方向の回転で９時の位置から３時の位置に移行するまでの期間では、連結アーム９０がＤ２方向に変位して保持部３０（スイッチ本体１１）を右方向（Ｄ２方向）に移動させる一方、モータ軸５１を中心とした偏心軸部６２ｃの位置が時計方向の回転で３時の位置から９時の位置に移行するまでの期間では、連結アーム９０がＤ２方向に変位して保持部３０（スイッチ本体１１）を左方向（Ｄ１方向）に移動させる。つまり、スイッチ本体１１を、モータ軸５１から偏心軸部６２ｃまでの２倍の距離を直接的に移動させることができる。
【００６０】
図１０Ｂの第３変形例では、変換リンク機構６０を構成する連結アーム１００が長方形の板状に形成され、第２変形例と同様にＤ１，Ｄ２方向に移動するようガイド規制されている。連結アーム１００の長手方向の一端側には、保持部３０の係合ボス部３５ｃに対して回転自在に取り付けられる回転取付部（取付孔）１０１が形成される一方、他端側には、連結アーム１００の短手方向に沿って伸びる長方形状のガイド孔１０２が形成されている。ガイド孔１０２には、モータ５０のモータ軸５１に一体的に固定されたおむすび型のカム１０３の外周面が係合（当接）される。なお、モータ軸５１が固定されるカム１０３の部分は、おむすび型の３つの頂点部１０３ａ〜１０３ｃのうちの１つの頂点部１０３ａ付近であり、おむすび型一辺の長さ寸法は、長方形状のガイド孔１０２の短辺部分の長さ寸法よりも若干小さく設定されている。また、頂点部１０３ｂから頂点部１０３ｃまでの一辺部分の形状は、モータ軸５１を中心とした円弧形状に形成され、頂点部１０３ａから頂点部１０３ｂまでの一辺部分及び頂点部１０３ｃから頂点部１０３ａまでの一辺部分についても同様な円弧形状に形成されている。これにより、図１０Ｂに示す状態から、モータ５０が駆動制御されてＣ方向にモータ軸５１が回転すると、これに伴ってカム１０３が一体的に回転する。そして、このようなカム１０３の回転が進み、カム１０３の頂点部１０３ａから頂点部１０３ｂまでの間でその外周面が長方形状のガイド孔１０２の右側長辺部１０２ａと当接することで、ガイド孔１０２言い換えれば連結アーム１００がＤ２方向に押し込まれるようにして変位する。
【００６１】
すなわち、第３変形例の連結アーム１００は、カム１０３の回転に伴って長方形状のガイド孔１０２がおむすび型のカム１０３の外周面と当接する位置を変化させることで、連結突起３５の係合ボス部３５ｃ（保持部３０）を長孔形状の突起挿通孔７０に沿って直線的に移動させ、ひいては、スイッチ本体１１を直線的に移動させる。なお、図１０Ｂの正面視でのモータ軸５１のＣ方向への回転において、カム１０３の頂点部１０３ａから頂点部１０３ｂまでの間の外周面がガイド孔１０２の右側長辺部１０２ａと当接する期間では、連結アーム１００がＤ２方向に変位して保持部３０（スイッチ本体１１）を右方向（Ｄ２方向）に移動させる一方、カム１０３の頂点部１０３ａから頂点部１０３ｂまでの間の外周面がガイド孔１０２の左側長辺部１０２ｂと当接する期間では、連結アーム１００がＤ１方向に変位して保持部３０（スイッチ本体１１）を左方向（Ｄ１方向）に移動させる。つまり、スイッチ本体１１を、モータ軸５１から頂点部１０３ｂ（１０３ｃ）までの２倍の距離を直接的に移動させることができる。
【００６２】
上記実施形態から把握し得る請求項以外の技術的思想について、以下にその効果と共に記載する。
【００６３】
前記保持部が配置固定される前記遊技機本体又は前記他部材の外壁部（上壁４１）には、前記保持部の対応する外周部よりも大きな内周部（４２ａ）を有する配置孔（４２）が形成され、
前記保持部は、前記配置孔の内周部内を前記外周部の移動可能領域として移動するとともに、前記外周部に隣接し前記外壁部に沿って延設されるフランジ部（３２）を有し、そのフランジ部が前記外周部と前記配置孔の内周部との間に形成された空間（Ｓ）を、前記外壁部の外側又は内側から閉塞することを特徴とする遊技機用操作スイッチ。
【００６４】
これによれば、保持部には、遊技機本体又は他部材の外壁部に設けられた配置孔との間に形成される空間（隙間）を閉塞するフランジ部が設けられているので、外周部（保持部）の移動可能領域となる空間に遊技者が煙草などの異物を挿入するなどの悪戯を抑制及び防止することができる。また、保持部の移動の阻害となる塵や埃などが空間に入り込むのを抑制及び防止することができる。さらには、フランジ部によって保持部の外形が拡大されるので、遊技機本体又は他部材の外壁部上で存在感が増し、迫力ある移動演出を実現することができる。
【００６５】
以上の実施形態では、操作スイッチ１０をパチンコ機１の球受皿５に取り付けた場合のみについて説明したが、その他の部位に取り付けてもよい。また、パチンコ機に取り付けた場合のみについて説明したが、アレパチ機などの他の弾球遊技機やスロットマシン、パチスロ機などの回胴式遊技機に取り付けてもよい。
【符号の説明】
【００６６】
１  パチンコ機（遊技機）
５  球受皿
１０  操作スイッチ（遊技機用操作スイッチ）
１１  スイッチ本体
２０  操作部
２１ａ  操作面
３０  保持部
３１  収容部
３２  フランジ部
３４  係合ボス
３５  連結突起
３６  移動案内部材
３９  コイルバネ
４０  ベース部（他部材）
４１  上壁
４２  配置孔
４２ａ  内周部
５０  モータ（回転式駆動源）
５１  モータ軸（回転駆動軸）
６０  変換リンク機構（変換伝達機構）
６１  取付ベース
６２  偏心カム
６２ｃ  偏心軸部
６３  連結アーム
６４  回転伝達部材
６４ａ  軸突起（支軸）
８０，８１  連結コイルバネ（伸縮部材）
９０  連結アーム
１００  連結アーム
【図１】
0005941340.tif 000002
【図２Ａ】
0005941340.tif 000003
【図２Ｂ】
0005941340.tif 000004
【図２Ｃ】
0005941340.tif 000005
【図３Ａ】
0005941340.tif 000006
【図３Ｂ】
0005941340.tif 000007
【図４】
0005941340.tif 000008
【図５】
0005941340.tif 000009
【図６Ａ】
0005941340.tif 000010
【図６Ｂ】
0005941340.tif 000011
【図７】
0005941340.tif 000012
【図８Ａ】
0005941340.tif 000013
【図８Ｂ】
0005941340.tif 000014
【図９】
0005941340.tif 000015
【図１０Ａ】
0005941340.tif 000016
【図１０Ｂ】
0005941340.tif 000017